(57)【要約】      （修正有）【課題】両軸受リールにおいて、リール本体のフレームからカバー部材を容易に取り外すことができる両軸受リールの提供。【解決手段】両軸受リールは、リール本体と、スプール軸３と、操作部材２０と、カム機構と、を備える。リール本体は、フレーム６と、フレーム６の一側方に設けられた第２側カバー７ｂと、第２側カバー７ｂの内側に固定されフレーム６に支持された軸支持部１０と、を有する。スプール軸３は、一端が軸支持部１０に支持される。操作部材２０は、軸支持部１０とスプール軸３の軸方向に一体移動可能であり、軸支持部３がフレーム６に装着される第１位置と、軸支持部１０がフレーム６から離脱される第２位置と、の間で軸支持部１０に回動可能に装着される。カム機構は、操作部材２０の回動に応じて軸支持部１０を軸方向に移動させ、軸支持部１０をフレーム６から着脱させる。【選択図】図２
2019216668.tif 000002
【特許請求の範囲】
【請求項１】
フレームと、前記フレームの一側方に設けられたカバー部材と、前記カバー部材の内側に固定され前記フレームに支持された軸支持部と、を有するリール本体と、
一端が前記軸支持部に支持されたスプール軸と、
前記軸支持部と前記スプール軸の軸方向に一体移動可能であり、前記軸支持部が前記フレームに装着される第１位置と、前記軸支持部が前記フレームから離脱される第２位置と、の間で前記軸支持部に回動可能に装着された操作部材と、
前記操作部材の回動に応じて前記軸支持部を前記軸方向に移動させ、前記軸支持部を前記フレームから着脱させるカム機構と、
を備えた、両軸受リール。
【請求項２】
カム機構は、前記フレーム及び前記操作部材のいずれか一方に設けられた１以上のカムと、前記フレーム及び前記操作部材のいずれか他方に設けられ、前記カムに係合する１以上のカムフォロアと、を有する、
請求項１に記載の両軸受リール。
【請求項３】
前記カムは、周方向に沿って形成され、前記操作部材の前記第１位置から前記第２位置への移動に伴い、前記軸支持部を前記フレームから離れる方向に移動させる傾斜部を有するカム溝を有し、
前記カムフォロアは、前記カム溝に係合する突起部を有する、
請求項２に記載の両軸受リール。
【請求項４】
前記操作部材は、前記フレーム及び前記カバー部材の少なくとも一方から径方向に露出する操作部を有し、
前記フレーム及び前記カバー部材の少なくとも一方は、前記操作部の回動操作に伴う前記操作部の移動を案内する案内部を有する、
請求項３に記載の両軸受リール。
【請求項５】
前記フレームは、前記軸支持部が嵌合する開口部を有し、
前記軸支持部は、前記開口部に嵌合する嵌合部を有し、
前記軸支持部の前記嵌合部の外周に装着された弾性部材をさらに備えた、
請求項１から４のいずれか１項に記載の両軸受リール。
【請求項６】
前記操作部材が前記第２位置にあるとき、前記カバー部材を前記フレームに対して揺動可能に支持する揺動軸をさらに備えた、
請求項１から５のいずれか１項に記載の両軸受リール。
【発明の詳細な説明】
【技術分野】
【０００１】
本発明は、釣り用リール、特に両軸受リールに関する。
【背景技術】
【０００２】
従来、リール本体の側方を覆うカバー部材がリール本体のフレームに着脱可能に装着された両軸受リールが知られている（特許文献１参照）。カバー部材には、スプール軸の一端を支持する支持部材が固定されている。
【先行技術文献】
【特許文献】
【０００３】
【特許文献１】特開２００６−２４６７７６公報
【発明の概要】
【発明が解決しようとする課題】
【０００４】
従来の両軸受リールでは、フレームからカバー部材を取り外すとき、回動部材を操作してフレームと支持部材との係合を解除した後に、手動でカバー部材をフレームから離れる方向に移動させる必要がある。さらに、支持部材は、フレームに高精度で嵌合しているので、カバー部材を移動させるときは、カバー部材をスプール軸の軸方向に平行に移動させなければならず、この操作は慣れを必要とする。
【０００５】
本発明の課題は、両軸受リールにおいて、リール本体のフレームからカバー部材を容易に取り外すことができるようにすることにある。
【課題を解決するための手段】
【０００６】
本発明の一側面に係る両軸受リールは、リール本体と、スプール軸と、操作部材と、カム機構と、を備える。リール本体は、フレームと、フレームの一側方に設けられたカバー部材と、カバー部材の内側に固定されフレームに支持された軸支持部と、を有する。スプール軸は、一端が軸支持部に支持される。操作部材は、軸支持部とスプール軸の軸方向に一体移動可能であり、軸支持部がフレームに装着される第１位置と、軸支持部がフレームから離脱される第２位置と、の間で軸支持部に回動可能に装着される。カム機構は、操作部材の回動に応じて軸支持部を軸方向に移動させ、軸支持部をフレームから着脱させる。
【０００７】
この両軸受リールでは、カム機構により、操作部材の回動に応じて、操作部材とともに軸支持部が軸方向に移動することによって、軸支持部がリール本体のフレームに着脱される。これにより、例えば、軸支持部がフレームに高精度で嵌合している場合であっても、操作部材を回動操作するだけで、フレームから軸支持部を離脱させることができるので、フレームからカバー部材を容易に取り外すことができる。
【０００８】
好ましくは、カム機構は、フレーム及び前記操作部材のいずれか一方に設けられた１以上のカムと、フレーム及び操作部材のいずれか他方に設けられ、カムに係合する１以上のカムフォロアと、を有する。
【０００９】
好ましくは、カムは、周方向に沿って形成され、操作部材の第１位置から第２位置への移動に伴い、軸支持部を前記フレームから離れる方向に移動させる傾斜部を有するカム溝を有し、カムフォロアは、カム溝に係合する突起部を有する。
【００１０】
好ましくは、操作部材は、フレーム及びカバー部材の少なくとも一方から径方向に露出する操作部を有し、フレーム及びカバー部材の少なくとも一方は、操作部の回動操作に伴う操作部の移動を案内する案内部を有する。この場合は、案内部によって操作部材の操作部の移動が案内されるので、操作部材の操作部を回動操作したときに操作部がリール本体に対して傾くことを防止できる。
【００１１】
好ましくは、フレームは、軸支持部が嵌合する開口部を有し、軸支持部は、開口部に嵌合する嵌合部を有し、軸支持部の嵌合部の外周に装着された弾性部材をさらに備える。この場合は、軸支持部をフレームにがたつきなく嵌合させることができる。
【００１２】
好ましくは、操作部材が第２位置にあるとき、カバー部材をフレームに対して揺動可能に支持する揺動軸をさらに備える。この場合は、操作部材を第１位置から第２位置に回動させて軸支持部をフレームから離脱させたときに、カバー部材が揺動軸に支持されるので、カバー部材及び軸支持部の落下を防止できる。
【００１３】
本発明によれば、両軸受リールにおいて、リール本体のフレームからカバー部材を容易に取り外すことができる。
【図面の簡単な説明】
【００１４】
【図１】本発明の一実施形態が採用された両軸受リールの平面図。
【図２】図１のII−II線断面図。
【図３】両軸受リールの部分底面図。
【図４】操作部材が第１位置にあるときの第２側板を左側から見た斜視図。
【図５】操作部材が第２位置にあるときの第２側板を左側から見た斜視図。
【図６】カムを径方向内側から見た図。
【図７】リール本体からカバー部材を取り外したときの状態を示す平面図。
【発明を実施するための形態】
【００１５】
［全体構成］
以下の説明において、釣りを行うときに、釣糸が繰り出される方向を前、その反対方向を後という。また、左右とは、両軸受リール１００を後方から見たときの左右をいう。また、スプール軸３（図２参照）が延びる方向を「軸方向」、スプール軸３と直交する方向を「径方向」、スプール軸３の軸回りの方向を「周方向」という。
【００１６】
本発明の一実施形態を採用した両軸受リール１００は、釣り糸を前方に繰り出し可能である。両軸受リール１００は、図１乃至図３に示すように、リール本体２と、スプール軸３と、スプール４と、ハンドル５と、操作部材２０と、カム機構３０（図５参照）と、を備えている。また、両軸受リール１００は、好ましくは、案内部４０と、弾性部材５０と、揺動軸６０と、をさらに備えている。
【００１７】
［リール本体２］
リール本体２は、フレーム６と、第１側カバー７ａと、第２側カバー７ｂ（カバー部材の一例）と、前カバー８と、サムレスト９と、軸支持部１０と、を有している。
【００１８】
フレーム６は、第１側板６ａと、第２側板６ｂと、複数の連結部６ｃと、を有している。
【００１９】
第１側板６ａは、フレーム６の右側に配置されている。第２側板６ｂは、第１側板６ａと軸方向に間隔を隔てて、フレーム６の左側に配置されている。第２側板６ｂは、図２に示すように、軸方向に開口する円形の開口部６ｄを有している。開口部６ｄには、軸支持部１０の後述する嵌合部１０ｂが嵌合する。複数の連結部６ｃは、軸方向に延び、第１側板６ａと第２側板６ｂとを連結している。
【００２０】
第１側カバー７ａは、フレーム６の右側方に設けられ、フレーム６の第１側板６ａの右側方を覆う。第２側カバー７ｂは、フレーム６の左側方に設けられ、フレーム６の第２側板６ｂの左側方を覆う。第２側カバー７ｂは、軸支持部１０を介してリール本体２のフレーム６に着脱可能に装着されている。
【００２１】
前カバー８は、フレーム６の前部に配置され、フレーム６にねじ止め固定されている。サムレスト９は、フレーム６の上部を覆うようにして配置され、フレーム６にねじ止め固定されている。
【００２２】
軸支持部１０は、図２に示すように、第２側カバー７ｂの内側に固定され、フレーム６に支持されている。軸支持部１０は、第２側カバー７ｂと一体的に移動可能かつフレーム６に着脱可能に装着されている。軸支持部１０は、複数のねじ部材１２によって第２側カバー７ｂに固定されている。
【００２３】
軸支持部１０は、有底筒状の部材であり、軸受収容部１０ａと、嵌合部１０ｂと、回動支持部１０ｃと、を有している。
【００２４】
軸受収容部１０ａは、軸支持部１０の底部から軸方向に筒状に突出して形成されている。軸受収容部１０ａの内部には、スプール軸３の一端を支持する軸受１４が収容されている。軸受収容部１０ａの径方向外側には、スプール４の回転に応じてスプール４を制動する制動機構１５が設けられている。
【００２５】
嵌合部１０ｂは、外周面が円筒状であり、第２側板６ｂの開口部６ｄに嵌合する。嵌合部１０ｂは、弾性部材５０を装着するための装着溝１０ｄを有している。装着溝１０ｄは、環状であり、径方向内側に凹んで形成されている。
【００２６】
回動支持部１０ｃは、円筒状であり、嵌合部１０ｂの左側に設けられている。回動支持部１０ｃは、軸方向において、第２側カバー７ｂに隣接して配置される。回動支持部１０ｃは、操作部材２０を回動可能に支持している。回動支持部１０ｃの外径は、嵌合部１０ｂの外径よりも小径に形成されている。
【００２７】
［スプール軸３］
スプール軸３は、リール本体２を軸方向に延び、リール本体２に回転可能に支持されている。スプール軸３の一端は、図２に示すように、リール本体２の軸支持部１０に支持されている。詳細には、スプール軸３の一端は、軸支持部１０の軸受収容部１０ａに配置された軸受１４を介してリール本体２に支持されている。スプール軸３の他端は、リール本体２に配置された図示しない軸受を介してリール本体２に支持されている。
【００２８】
［スプール４］
スプール４は、第１側板６ａと第２側板６ｂとの間でリール本体２に回転可能に支持されている。スプール４は、スプール軸３に固定されており、スプール軸３と一体的に回転する。
【００２９】
［ハンドル５］
ハンドル５は、図１に示すように、第１側カバー７ａ側において、リール本体２に回転可能に設けられている。ハンドル５の回転は、図示しない回転伝達機構を介して、スプール４に伝達される。回転伝達機構は、従来と同様の構成であるため説明を省略する。
【００３０】
［操作部材２０］
操作部材２０は、軸支持部１０と軸方向に一体移動可能であり、軸支持部１０に回動可能に装着されている。詳細には、操作部材２０は、第２側カバー７ｂと軸支持部１０の嵌合部１０ｂとに挟持されて軸方向の移動が規制されている。操作部材２０は、軸支持部１０の回動支持部１０ｃに回動可能に支持されている。操作部材２０の回転軸心は、スプール軸３の回転軸心と同心になるように構成されている。
【００３１】
操作部材２０は、図４に示す第１位置と、図５に示す第２位置と、の間で回動可能である。操作部材２０が第１位置にあるときは、軸支持部１０がフレーム６に装着される。操作部材２０が第２位置にあるときは、軸支持部１０がフレーム６から離脱される。
【００３２】
操作部材２０は、環状部２０ａと、操作部２０ｂと、を有している。環状部２０ａは、軸支持部１０の回動支持部１０ｃに回動可能に装着されている。
【００３３】
操作部２０ｂは、フレーム６及び第２側カバー７ｂの少なくとも一方から径方向に露出する。本実施形態では、操作部２０ｂは、図２及び図３に示すように、フレーム６及び第２側カバー７ｂの両方から径方向外側に露出している。操作部２０ｂは、レバー状であり、環状部２０ａの外周面から径方向外側に突出して形成されている。操作部２０ｂは、操作部材２０を第１位置と第２位置との間で回動操作するために設けられている。
【００３４】
［カム機構３０］
カム機構３０は、操作部材２０の回動に応じて軸支持部１０を軸方向に移動させ、軸支持部１０をフレーム６から着脱させる。
【００３５】
カム機構３０は、フレーム６及び操作部材２０のいずれか一方に設けられた１以上のカム３１と、フレーム６及び操作部材２０のいずれか他方に設けられ、カム３１に係合する１以上のカムフォロア３２と、を有している。本実施形態では、１以上のカム３１がフレーム６に設けられ、１以上のカムフォロア３２が操作部材２０に設けられている。また、本実施形態では、カム３１及びカムフォロア３２が２個ずつ設けられている。
【００３６】
カム３１のそれぞれは、周方向に間隔を隔てて、フレーム６の第２側板６ｂにねじ止め固定されている。カム３１は、円弧状に延び、内周が操作部材２０の外周に対向するように配置されている。
【００３７】
図６は、カム３１を径方向内側から見た図である。カム３１は、第１平坦部３１ａと、カム溝３１ｂと、を有している。第１平坦部３１ａは、カム３１の一端に周方向に沿って平坦に形成されている。第１平坦部３１ａは、軸方向外側が開放されている。
【００３８】
カム溝３１ｂは、周方向に沿って形成されている。詳細には、カム溝３１ｂは、第１平坦部３１ａからさらに周方向に延び、内周側から径方向外側に凹んで形成されている。カム溝３１ｂは、第１傾斜部３１ｃ（傾斜部の一例）と、第２平坦部３１ｄと、を有している。
【００３９】
第１傾斜部３１ｃは、操作部材２０の第１位置から第２位置への移動に伴い、軸支持部１０がフレーム６から離れる方向に移動するように傾斜して形成されている。言い換えると、第１傾斜部３１ｃは、操作部材２０の第２位置から第１位置への移動に伴い、軸支持部１０がフレーム６に近づく方向に移動するように傾斜して形成されている。
【００４０】
第２平坦部３１ｄは、第１傾斜部３１ｃからさらに周方向に延び、周方向に沿って平坦に形成されている。
【００４１】
カムフォロア３２は、カム３１のカム溝３１ｂに係合する突起部３２ａを有している。突起部３２ａは、操作部材２０の操作部２０ｂとは異なる位置で、径方向外側に突出して形成されている。
【００４２】
突起部３２ａは、図６に示すように、操作部材２０が第１位置にあるとき、カム溝３１ｂの第２平坦部３１ｄに係合する。突起部３２ａは、操作部材２０が第１位置から第２位置に移動するとき、カム溝３１ｂの第２平坦部３１ｄからカム溝３１ｂの第１傾斜部３１ｃを通過して、カム３１の第１平坦部３１ａに移動する。一方、操作部材２０が第２位置から第１位置に移動するとき、突起部３２ａは、カム３１の第１平坦部３１ａからカム溝３１ｂの第１傾斜部３１ｃを通過して、カム溝３１ｂの第２平坦部３１ｄに移動する。突起部３２ａは、操作部材２０が第２位置にあるとき、カム溝３１ｂとの係合が解除される。このように、突起部３２ａがカム溝３１ｂに係合して軸方向に移動することで、突起部３２ａが設けられた操作部材２０とともに軸支持部１０が軸方向に移動する。
【００４３】
［作用］
上記構成の両軸受リール１００では、操作部材２０を第１位置から第２位置に回動操作することで、カム機構３０によって、操作部材２０とともに軸支持部１０がフレーム６から離れる方向に移動して、軸支持部１０がフレーム６から離脱される。これにより、フレーム６から軸支持部１０を離脱させるときに手動で軸支持部１０を軸方向に移動させる必要がなくなる。また、フレーム６に軸支持部１０が高精度で嵌合している場合であっても、フレーム６から軸支持部１０を容易に離脱させることができるので、フレーム６から第２側カバー７ｂを容易に取り外すことができる。
【００４４】
また、軸支持部１０をフレーム６に装着するときは、軸支持部１０及び第２側カバー７ｂをフレーム６に対して所定の位置に配置して、操作部材２０を第２位置から第１位置に回動させる。これにより、カム機構３０によって、軸支持部１０がフレーム６に近づく方向に移動して、軸支持部１０がフレーム６に装着される。したがって、操作部材２０を回動操作することで、軸支持部１０をフレーム６に容易に装着できる。
【００４５】
［案内部４０］
案内部４０は、フレーム６及び第２側カバー７ｂの少なくとも一方に設けられる。案内部４０は、操作部材２０の操作部２０ｂの回動操作に伴う操作部２０ｂの移動を案内する。本実施形態では、案内部４０は、図３乃至図５に示すように、フレーム６の第２側板６ｂに形成されている。案内部４０は、カム３１の形状に沿うような形状で構成され、第２側板６ｂの開口部６ｄの下部側面に周方向に沿って形成されている。
【００４６】
案内部４０は、第２傾斜面４０ａと、第１平坦面４０ｂと、第２平坦面４０ｃと、を有している。第２傾斜面４０ａは、カム溝３１ｂの第１傾斜部３１ｃと対応するように形成され、例えば、傾斜角度及び周方向の長さが、カム溝３１ｂの第１傾斜部３１ｃの傾斜角度及び周方向の長さと等しくなるように形成されている。
【００４７】
第２傾斜面４０ａは、操作部材２０の第１位置から第２位置への移動に伴い、操作部材２０の操作部２０ｂのスプール４から離れる方向の移動を案内するように傾斜して形成されている。言い換えると、第２傾斜面４０ａは、操作部材２０の第２位置から第１位置への移動に伴い、操作部材２０の操作部２０ｂのスプール４に近づく方向の移動を案内するように傾斜して形成されている。
【００４８】
第１平坦面４０ｂは、第２傾斜面４０ａの一端から周方向に平坦に延び、操作部材２０が第１位置にあるとき、軸方向において、操作部材２０の操作部２０ｂを支持する。
【００４９】
第２平坦面４０ｃは、第２傾斜面４０ａの他端から周方向に平坦に延び、操作部材２０が第２位置にあるとき、軸方向において、操作部材２０の操作部２０ｂを支持する。
【００５０】
このように案内部４０を設けることで、操作部材２０の操作部２０ｂを回動操作するときに、操作部材２０の操作部２０ｂが案内部４０に支持される。これにより、操作部材２０の操作部２０ｂを回動操作したときに操作部２０ｂがリール本体２に対して傾くことを防止できる。
【００５１】
［弾性部材５０］
弾性部材５０は、図２に示すように、軸支持部１０の嵌合部１０ｂの外周に装着されている。本実施形態では、弾性部材５０は、軸支持部１０の装着溝１０ｄに装着されている。弾性部材５０は、弾性変形可能な樹脂等からなる弾性体であり、例えばＯリングである。フレーム６と軸支持部１０との間に弾性部材５０を配置することで、軸支持部１０をフレーム６の開口部６ｄにがたつきなく嵌合させることができる。また、本実施形態では、操作部材２０を回動操作することで、軸支持部１０をフレーム６から着脱できるので、弾性部材５０を設けて軸支持部１０とフレーム６との嵌合が強固になった場合でも、軸支持部１０をフレーム６から容易に着脱できる。
【００５２】
［揺動軸６０］
揺動軸６０は、図７に示すように、操作部材２０が第２位置にあるとき、第２側カバー７ｂをフレーム６に対して揺動可能に支持する。揺動軸６０は、回転可能かつ軸方向に移動可能にリール本体２に支持されている。これにより、操作部材２０を第１位置から第２位置に回動させて軸支持部１０をフレーム６から離脱させたときに、第２側カバー７ｂ及び軸支持部１０が落下することを防止できる。
【００５３】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態は必要に応じて任意に組合せ可能である。
【００５４】
（ａ）前記実施形態では、リール本体２の左側方を覆う第２側カバー７ｂをカバー部材の一例として例示したが、リール本体２の右側方を覆う第１側カバー７ａをカバー部材として構成してもよい。この場合、ハンドル５は第２側カバー７ｂ側に配置される。
【００５５】
（ｂ）前記実施形態では、案内部４０がフレーム６に設けられていたが、案内部４０は、第２側カバー７ｂに設けてもよいし、フレーム６と第２側カバー７ｂとの両方で、操作部材２０の操作部２０ｂの移動を案内するように案内部４０を構成してもよい。
【符号の説明】
【００５６】
２  リール本体
３  スプール軸
６  フレーム
６ｄ  開口部
７ｂ  第２側カバー（カバー部材の一例）
１０  軸支持部
１０ｂ  嵌合部
２０  操作部材
２０ｂ  操作部
３０  カム機構
３１  カム
３１ａ  カム溝
３１ｃ  第１傾斜部（傾斜部の一例）
３２  カムフォロア
３２ａ  突起部
４０  案内部
５０  弾性部材
６０  揺動軸
１００  両軸受リール
【図１】
2019216668.tif 000003
【図２】
2019216668.tif 000004
【図３】
2019216668.tif 000005
【図４】
2019216668.tif 000006
【図５】
2019216668.tif 000007
【図６】
2019216668.tif 000008
【図７】
2019216668.tif 000009